(57)【要約】【課題】個別の電源電池により動作する検出端末と通知端末とからなる構成において連続測定時間を長期化する。【解決手段】被測定者の生体情報を検出して当該生体情報を一定の時間間隔で送信し、第１の電源電池と当該第１の電源電池の残量を検出する第１の検出手段とを有する、検出端末と、検出端末から送信された生体情報を受信して受信した生体情報の通知をおこない、第２の電源電池と当該第２の電源電池の残量を検出する第２の検出手段とを有する、通知端末と、を備え、検出端末は、第１の電源電池の残量及び第２の電源電池の残量が所定の値以上である場合に、生体情報の送信間隔を第１の送信間隔に設定し、第１の電源電池の残量と第２の電源電池の残量との少なくともいずれか一方が前記所定の値未満である場合に、生体情報の送信間隔を第１の送信間隔よりも長い第２の送信間隔に設定する、設定手段を有する、ことを特徴とする生体情報測定システム。【選択図】図１
2014057691.tif 000002
【特許請求の範囲】
【請求項１】
被測定者の生体情報を検出して当該生体情報を一定の時間間隔で送信し、第１の電源電池と当該第１の電源電池の残量を検出する第１の検出手段とを有する、検出端末と、
前記検出端末から送信された前記生体情報を受信して受信した前記生体情報の通知をおこない、第２の電源電池と当該第２の電源電池の残量を検出する第２の検出手段とを有する、通知端末と、
を備え、
前記検出端末は、
前記第１の電源電池の残量及び前記第２の電源電池の残量が所定の値以上である場合に、前記生体情報の送信間隔を第１の送信間隔に設定し、前記第１の電源電池の残量と前記第２の電源電池の残量との少なくともいずれか一方が前記所定の値未満である場合に、前記生体情報の前記送信間隔を前記第１の送信間隔よりも長い第２の送信間隔に設定する、設定手段を有する、
ことを特徴とする生体情報測定システム。
【請求項２】
前記通知端末は、前記第２の電源電池の残量が前記所定の値未満である場合に、前記送信間隔の前記第２の送信間隔への設定を無線により前記検出端末に要求する設定要求手段を有し、
前記検出端末の前記設定手段は、前記設定要求手段から要求があった場合に、前記生体情報の前記送信間隔を前記第２の送信間隔に設定する、
ことを特徴とする請求項１に記載の生体情報測定システム。
【請求項３】
前記検出端末は、前記設定手段により前記生体情報の前記送信間隔が前記第２の送信間隔に設定された後、前記第２の送信間隔に応じた送信タイミングで前記通知端末へ無線送信する前記生体情報を、前回の送信時から所定の変化があった場合に制限する制限手段を備えた、
ことを特徴とする請求項１又は２に記載の生体情報測定システム。
【請求項４】
前記制限手段は、前記第２の送信間隔に応じた前記送信タイミングで前記通知端末へ無線送信する前記生体情報を、前回の送信時からの変化量が所定の変化量以上となる変化があった場合に制限する、
ことを特徴とする請求項３に記載の生体情報測定システム。
【請求項５】
前記制限手段は、前記第２の送信間隔に応じた前記送信タイミングで前記通知端末へ無線送信する前記生体情報を、前記生体情報から判断される被測定者の段階的状態が、前回の送信時に判断された段階的状態とは異なる場合に制限する、
ことを特徴とする請求項３に記載の生体情報測定システム。
【請求項６】
前記検出端末は、前記被測定者の段階的状態が同一の段階的状態であると判断できる生体情報が一定時間継続して検出された場合、生体情報を前記第２の送信間隔に応じた前記送信タイミングで前記通知端末へ無線送信させる送信制御手段を有する、
ことを特徴とする請求項５に記載の生体情報測定システム。
【請求項７】
前記検出端末は、前記設定手段により前記生体情報の前記送信間隔が前記第２の送信間隔に設定された後、前記被測定者の状態が所定の状態であると判断できる生体情報を一定時間継続して検出した場合、注意喚起用の通知を無線により前記通知端末へ要求する通知要求手段を有し、
前記通知端末は、前記通知要求手段による要求に応じた前記注意喚起用の通知を行う通知手段を備えた、
ことを特徴とする請求項１乃至５いずれかに記載の生体情報測定システム。
【請求項８】
被測定者の生体情報を検出し、検出した当該生体情報を一定の時間間隔で送信する検出端末と、
前記検出端末により送信された前記生体情報を受信し、受信した前記生体情報の通知を行う通知端末と、
を備え、
前記検出端末が有する第１の電源電池の残量を検出する工程と、
前記通知端末が有する第２の電源電池の残量を検出する工程と、
前記第１の電源電池の残量及び前記第２の電源電池の残量が所定の値以上である場合に、前記生体情報の送信間隔を第１の送信間隔に設定する工程と、
前記第１の電源電池の残量と前記第２の電源電池の残量との少なくともいずれか一方が前記所定の値未満である場合に、前記生体情報の前記送信間隔を前記第１の送信間隔よりも長い第２の送信間隔に設定する工程と、
を含む、
ことを特徴とする生体情報送信方法。
【発明の詳細な説明】
【技術分野】
【０００１】
本発明は、被測定者の生体情報を検出端末により検出し、検出結果を、検出端末と無線接続された通知端末により通知する生体情報測定システム、及びその生体情報送信方法に関する。
【背景技術】
【０００２】
従来、生体情報測定システムとして、例えば下記特許文献１には、被測定者の心拍を検出して、検出結果を送信する検出端末と、検出端末から送信されてくる検出結果を受信し、それを表示する通知端末と、からなる携帯型の心拍モニタシステムが記載されている。この種の心拍モニタシステムにおいては、検出端末と通知端末とを個別の電池（例えば二次電池）で動作させる必要があるが、各々の電池に確保可能な容量は限られるため、連続測定時間には自ずと限界がある。
【０００３】
これを解決する技術としては、例えば下記特許文献２には、検出端末の電源電圧が所定電圧以下に低下した場合に検出結果の送信間隔を長くする技術や、検出端末に検出結果を複数種類の送信間隔で送信させる一方、通知端末に、電源電圧が所定電圧以下に低下した場合に、より長い間隔の送信間隔で送られてくる検出結果を選択的に受信させる技術が記載されている。
【先行技術文献】
【特許文献】
【０００４】
【特許文献１】特開平５−１６８６０４号公報
【特許文献２】特開２００８−２００２０６号公報
【発明の概要】
【発明が解決しようとする課題】
【０００５】
しかしながら、上記のように検出端末の電源電圧の状態に応じて検出結果の送信間隔を変化させる技術では、通知端末の電源電圧が低下しても、検出端末における検出結果の送信間隔を長くすることができない。また、通知端末の電源電圧の状態に応じて検出結果の受信間隔を選択させる技術では、検出端末の電源電圧が低下しても、通知端末における検出結果の受信間隔を長くすることができない。
【０００６】
そのため、検出端末と通知端末との電池寿命を個別に長期化することができたとしても、結果的には、心拍モニタシステムとしての連続測定時間を長期化するには到らないという問題があった。
【０００７】
本発明は、かかる従来の課題に鑑みてなされたものであり、個別の電源電池により動作する検出端末と通知端末とからなる構成において連続測定時間を長期化することができる生体情報測定システム及びその生体情報送信方法を提供することを目的とする。
【課題を解決するための手段】
【０００８】
前記課題を解決するため、本発明の生体情報測定システムにあっては、被測定者の生体情報を検出して当該生体情報を一定の時間間隔で送信し、第１の電源電池と当該第１の電源電池の残量を検出する第１の検出手段とを有する、検出端末と、前記検出端末から送信された前記生体情報を受信して受信した前記生体情報の通知をおこない、第２の電源電池と当該第２の電源電池の残量を検出する第２の検出手段とを有する、通知端末と、を備え、前記検出端末は、前記第１の電源電池の残量及び前記第２の電源電池の残量が所定の値以上である場合に、前記生体情報の送信間隔を第１の送信間隔に設定し、前記第１の電源電池の残量と前記第２の電源電池の残量との少なくともいずれか一方が前記所定の値未満である場合に、前記生体情報の前記送信間隔を前記第１の送信間隔よりも長い第２の送信間隔に設定する、設定手段を有する、ことを特徴とする。
【０００９】
また、前記課題を解決するため、本発明の生体情報送信方法にあっては、被測定者の生体情報を検出し、検出した当該生体情報を一定の時間間隔で送信する検出端末と、前記検出端末により送信された前記生体情報を受信し、受信した前記生体情報の通知を行う通知端末と、を備え、前記検出端末が有する第１の電源電池の残量を検出する工程と、前記通知端末が有する第２の電源電池の残量を検出する工程と、前記第１の電源電池の残量及び前記第２の電源電池の残量が所定の値以上である場合に、前記生体情報の送信間隔を第１の送信間隔に設定する工程と、前記第１の電源電池の残量と前記第２の電源電池の残量との少なくともいずれか一方が前記所定の値未満である場合に、前記生体情報の前記送信間隔を前記第１の送信間隔よりも長い第２の送信間隔に設定する工程と、を含む、ことを特徴とする。
【発明の効果】
【００１０】
本発明によれば、個別の電源電池により動作する検出端末と通知端末とからなる構成において連続測定時間を長期化することが可能となる。
【図面の簡単な説明】
【００１１】
【図１】各実施形態に共通する本発明に係る生体情報測定システムの使用状態を示す図である。
【図２】表示端末を示すブロック図である。
【図３】心拍検出端末を示すブロック図である。
【図４】各実施形態に共通する表示端末の動作を示すフローチャートである。
【図５】図４に続くフローチャートである。
【図６】各実施形態に共通する心拍検出端末の動作を示すフローチャートである。
【図７】図６に続くフローチャートである。
【図８】第２の実施形態を示す、図７に対応するフローチャートである。
【図９】心拍数ゾーンテーブルを示す概念図である。
【発明を実施するための形態】
【００１２】
以下、本発明の実施形態について説明する。
（実施形態１）
図１は、本発明の第１の実施の形態として例示する生体情報測定システムの使用状態を示した図である。
【００１３】
本実施形態の生体情報測定システムは、図１に示したように被測定者であるユーザの腕に装着された腕時計型の通知端末としての表示端末１と、ユーザの胸部等に肌に密着して装着された検出端末としての心拍検出端末２と、から構成されている。
【００１４】
表示端末１と心拍検出端末２とは互いに無線により接続されることによって、例えばランニング中におけるユーザの心拍数をユーザに知らせる。すなわち心拍検出端末２がユーザの心拍を検出して心拍数を測定するとともに、測定結果を所定の送信間隔で表示端末１へ送信し、表示端末１が受信した測定結果を表示してユーザに知らせる。
【００１５】
以下、表示端末１と心拍検出端末２との具体的な構成について説明する。図２は、表示端末１の電気的構成を示すブロック図である。図２に示したように表示端末１は、表示端末１の全体を制御する制御回路１１１を備えており、電池（二次電池等）１１２を電源として動作する。
【００１６】
制御回路１１１は、ＣＰＵ（Central Processing Unit）、及びその周辺回路等から構成され、ＲＯＭ（Read Only Memory）１１３に記憶されている制御プログラムに従い、ＲＡＭ（Random Access memory）１１４を作業用のメモリ空間として使用して表示端末１の各部を制御する。なお、ＲＯＭ１１３は、実際には既存の記憶データの書き換え、及び新たなデータの書き込みが可能なＥＥＰＲＯＭ（Electrically Erasable Programmable Read-Only Memory）である。
【００１７】
さらに、制御回路１１１には、電池１１２の電圧を検出することによって、電池残量を測定する電池残量測定部１１１ａが設けられている。なお、電池残量の単位としては、例えば、１時間に何ｍＡの電流を供給できるかを示す、ｍＡｈを用いることができる。
【００１８】
また、表示端末１は、アンテナ１１５を介して心拍検出端末２との間で、Ｂｌｕｅｔｏｏｔｈ（登録商標）による双方向の短距離無線通信を行う無線モジュール１１６と、無線モジュール１１６を介して送受信されるデータに対してシリアル／パラレル変換を行うＵＡＲＴ（Universal Asynchronous Receiver Transmitter）１１７と、を備えている。
【００１９】
また、表示端末１は、現在の時刻を計時する時計回路１１８と、現在の時刻や心拍数の測定結果等の種々の情報を表示するＬＣＤ（Liquid Crystal Display）１１９と、ユーザが表示端末１の操作や情報入力に使用する複数の操作スイッチ等から構成される入力手段１２０と、を備えている。
【００２０】
また、表示端末１は、ＬＣＤ１１９とは別に、ユーザに対して種々の報知を行うためのＬＥＤ（Light-Emitting Diode）１２１、ピエゾ素子１２２、振動モータ１２３を備えている。なお、ピエゾ素子１２２は、表示端末１の本体（裏蓋等）を振動させてアラーム音を発生させる。
【００２１】
そして、表示端末１には、入力手段１２０によりユーザによって入力されたユーザ情報がＲＯＭ１１３に記憶されている。ユーザ情報にはユーザの年齢、体重、性別、身長と、それらに基づいて制御回路１１１が算出した最大心拍数と、が含まれる。なお、最大心拍数は、例えば一般的な下記の式により性別と年齢とに応じて算出された推定値である。
男性の場合：最大心拍数（HRmax）＝ ２１４ − ０．８ × 年齢
女性の場合：最大心拍数（HRmax）＝ ２０９ − ０．７ × 年齢
【００２２】
図３は、心拍検出端末２の電気的構成を示すブロック図である。図３に示したように心拍検出端末２も、心拍検出端末２の全体を制御する制御回路２１１を備えており、電池（二次電池等）２１２を電源として動作する。
【００２３】
制御回路２１１は、ＲＯＭ２１３に記憶されている制御プログラムに従い、ＲＡＭ２１４を作業用のメモリ空間として使用して心拍検出端末２の各部を制御する。さらに、制御回路２１１には、電池２１２の電圧を検出することによって、電池残量を測定する電池残量測定部２１１ａが設けられている。
【００２４】
また、心拍検出端末２は、表示端末１が備えるものと同様のアンテナ２１５、無線モジュール２１６、ＵＡＲＴ２１７、入力手段２２０、ＬＥＤ２２１に加え、ユーザの１分間当たりの心拍数を測定するための心拍測定部２２４を備えている。
【００２５】
心拍測定部２２４は、ユーザの心拍（又は脈動）を検出するセンサ、検出した心拍（又は脈動）をカウントし、単位時間（例えば６０秒）当たりの心拍数を算出し測定結果として制御回路２１１へ供給する回路等から構成される。なお、心拍測定部２２４による心拍の検出方法は任意であり、例えば心電位検出方式等の公知の方式により心拍（又は脈動）を検出する。
【００２６】
そして、以上の構成からなる表示端末１と心拍検出端末２とは、ユーザが、両者に予め通信識別情報と、データ暗号化のための同一のパスキーと、を入力しておくことにより、各々の電源をオン状態とした後、表示端末１において入力手段１２０の操作スイッチによって測定開始を指示することにより、直ちに自動接続される。
【００２７】
具体的には、表示端末１の無線モジュール１１６から対応機器に応答を求める探索パケットが送信され、この探索パケットを受けた心拍検出端末２の無線モジュール２１６が応答を行いデータ認証処理が行われることによって即座に通信リンクが確立される。
【００２８】
そして、通信リンクが確立された後には、心拍検出端末２が心拍数を測定し、測定結果を一定時間毎に表示端末１へ送信する一方、表示端末１が受信した測定結果をＬＣＤ１１９に表示してユーザに知らせる。
【００２９】
また、本実施形態の心拍検出端末２には、測定結果の送信に関する動作モード（以下、送信モードという。）として、測定結果を５秒間隔で送信する通常モードと、測定結果を１０秒間隔で送信する省電力モードと、の２種類のモードが用意されている。
【００３０】
以下、本実施形態の生体情報測定システムの使用時における表示端末１と心拍検出端末２との動作を図４〜図７を参照して具体的に説明する。
【００３１】
まず、表示端末１の動作を説明する。図４、図５は、表示端末１の制御回路１１１がＲＯＭ１１３に記憶されている制御プログラムに従い実行する処理の内容を示したフローチャートである。
【００３２】
制御回路１１１は、ユーザにより入力手段１２０の所定の操作スイッチの操作により心拍数の測定開始が指示されることにより処理を開始し、図４に示したように、心拍検出端末２との間の無線通信リンクを確立した後（ステップＳＡ１）、直ちに電池残量測定部１１１ａによって電池１１２の残量を検出する（ステップＳＡ２）。
【００３３】
次に、制御回路１１１は、電池１１２の残量が予め決められている所定の値（例えば３０％）以上であれば（ステップＳＡ３：ＹＥＳ）、さらに、心拍検出端末２から送られる電池残量情報によって心拍検出端末２の電池２１２の残量を確認する（ステップＳ４）。そして、制御回路１１１は、心拍検出端末２の電池２１２の残量も所定の値（例えば３０％）以上であれば（ステップＳ５：ＹＥＳ）、ＲＯＭ１１３に記憶されているユーザ情報を心拍検出端末２に送信する（ステップＳ１２）。
【００３４】
一方、制御回路１１１は、電池１１２の残量が所定の値未満であった場合（ステップＳＡ３：ＮＯ）、又は心拍検出端末２の電池２１２の残量が所定の値未満であった場合には（ステップＳＡ５：ＮＯ）、ユーザに対して電池残量が少ない旨を知らせるとともに、電池残量が少ない状態のままで測定を開始するか否かを問い合わせる使用確認の表示をＬＣＤ１１９に行わせる（ステップＳＡ６）。
【００３５】
このとき、ユーザにおいては、入力手段１２０の所定の操作スイッチを操作することにより、使用を開始するか、又は使用を中止するかを指示する。
【００３６】
そして、制御回路１１１は、ユーザによって使用中止が指示された場合（ステップＳＡ７：ＮＯ）、心拍検出端末２に対して電源オフを指示した後（ステップＳＡ８）、全ての処理を終了し、電源をオフ状態とする（ステップＳＡ９）。
【００３７】
逆に、制御回路１１１は、ユーザによって使用開始が指示された場合には（ステップＳＡ７：ＹＥＳ）、心拍検出端末２の送信モードを省電力モードに設定する旨を、例えばＬＥＤ２２１の点滅や、ピエゾ素子１２２によるアラーム音によってユーザに報知するとともに（ステップＳＡ１０）、心拍検出端末２に対して省電力モードでの測定データの送信を依頼する（ステップＳＡ１１）。
【００３８】
これに伴い、心拍検出端末２において、後述するように送信モードが省電力モードに設定されるとともに、測定データの送信が開始される。
【００３９】
なお、図４では省略したが、制御回路１１１は、上記の処理において、心拍検出端末２の電池２１２の残量が所定の値未満であったときに、ユーザによって使用開始が指示された場合については、ステップＳＡ１１の処理をスキップする。
【００４０】
しかる後、制御回路１１１は、ＲＯＭ１１３に記憶されているユーザ情報を心拍検出端末２に送信する（ステップＳＡ１２）。
【００４１】
引き続き、ユーザ情報を心拍検出端末２に送信した後、制御回路１１１は、図５に示した処理を行う。まず、測定開始当初の表示端末１と心拍検出端末２との電池１１２，２１２の残量が共に所定の値以上であって、心拍検出端末２における測定結果の送信モードが通常モードに設定された場合（ステップＳＡ１３：ＹＥＳ）の処理について説明する。
【００４２】
この場合、制御回路１１１は、電池残量測定部１１１ａによって電池１１２の残量を逐次検出し（ステップＳＡ１４）、電池１１２の残量が所定の値以上である間は（ステップＳＡ１５：ＹＥＳ）、心拍検出端末２からの送信モードの変更通知の有無を確認する（ステップＳＡ１６）。
【００４３】
そして、制御回路１１１は、送信モードの変更通知がなければ（ステップＳＡ１６：ＮＯ）、心拍検出端末２から５秒間隔で送信される測定データ、つまり心拍数の測定結果を受信する毎に（ステップＳＡ１７：ＹＥＳ）、新たな測定結果をＬＣＤ１１９に表示（又は更新）する（ステップＳＡ１８）。
【００４４】
以後、制御回路１１１は、ステップＳＡ１４〜ステップＳＡ１８の処理を繰り返す。また、その間に電池１１２の残量が所定の値未満になった場合には（ステップＳＡ１５：ＮＯ）、直ちに心拍検出端末２に対して送信モードの変更を依頼する（ステップＳＡ１９）。つまり、通常モードから省電力モードへの変更を依頼する。しかる後、制御回路１１１は、送信モードの変更を、例えばＬＥＤ２２１の点滅や、ピエゾ素子１２２によるアラーム音によってユーザに報知する（ステップＳＡ２０）。
【００４５】
また、制御回路１１１は、ステップＳＡ１４〜ステップＳＡ１８の処理を繰り返す間に、心拍検出端末２から送信モードの変更通知があった場合についても（ステップＳＡ１６：ＹＥＳ）、送信モードの変更をユーザに報知する（ステップＳＡ２０）。
【００４６】
そして、送信モードの変更をユーザに報知した後、制御回路１１１はステップＳＡ２１以降の処理を実行する。ステップＳＡ２１以降の処理は、心拍数の測定開始当初において、表示端末１の電池１１２の残量、又は心拍検出端末２の電池２１２の残量の少なくともいずれか一方が所定の値未満であって、心拍検出端末２における測定結果の送信モードが省電力モードに設定された場合にあっては（ステップＳＡ１３：ＮＯ）、制御回路１１１が直ちに実行される処理である。
【００４７】
送信モードが省電力モードに設定されている間、制御回路１１１は、心拍検出端末２から１０秒間隔で送信される心拍数の測定データを受信する毎に（ステップＳＡ２１：ＹＥＳ）、新たな測定結果をＬＣＤ１１９に表示（又は更新）する（ステップＳＡ２２）。
【００４８】
また、制御回路１１１は、心拍検出端末２から注意喚起用の報知依頼（ステップＳＡ２３：ＹＥＳ）があった場合には、ユーザに対して、例えばピエゾ素子１２２によるアラーム音や、振動モータ１２３の振動による注意喚起用の報知を行う（ステップＳＡ２４）。以後、制御回路１１１はステップＳＡ２１〜ステップＳＡ２４の処理を繰り返し実行する。
【００４９】
なお、図５では省略したが、制御回路１１１は、上述したステップＳＡ１３以降の処理を行っている間、任意の時点でユーザにより入力手段１２０の所定の操作スイッチの操作により心拍数の測定終了が指示されると、心拍検出端末２に対して電源オフを指示した後、電源をオフ状態とする。
【００５０】
次に、心拍検出端末２の動作について説明する。図６、図７は、心拍検出端末２の制御回路２１１がＲＯＭ２１３に記憶されている制御プログラムに従い実行する処理の内容を示したフローチャートである。
【００５１】
制御回路２１１は、電源の投入と共に処理を開始した後、図６に示したように、表示端末１からの要求に応じて表示端末１との間の無線通信リンクを確立すると（ステップＳＢ１）、直ちに電池残量測定部２１１ａによって電池２１２の残量を検出し（ステップＳＢ２）、検出結果を電池残量情報として表示端末１へ通知する（ステップＳＢ３）。
【００５２】
その後、制御回路２１１は、表示端末１から電源オフが指示された場合には（ステップＳＢ４：ＹＥＳ）、その時点で全ての処理を終了し、電源をオフ状態とする（ステップＳＢ５）。
【００５３】
一方、制御回路２１１は、表示端末１から電源オフの指示がなく（ステップＳＢ４：ＮＯ）、かつ省電力モードの設定依頼もない場合については（ステップＳＢ６：ＮＯ）、送信モードを通常モードに設定する（ステップＳＢ８）。つまり表示端末１の電池１１２と心拍検出端末２の電池２１２との残量が共に所定の値以上である場合、制御回路２１１は心拍数の測定結果の送信間隔を５秒間隔に設定する。
【００５４】
また、制御回路２１１は、表示端末１から電源オフの指示がなく（ステップＳＢ４：ＮＯ）、省電力モードの設定依頼があった場合については（ステップＳＢ６：ＹＥＳ）、送信モードとして省電力モードを設定する（ステップＳＢ７）。つまり表示端末１の電池１１２の残量、又は心拍検出端末２の電池２１２の残量の少なくともいずれか一方が所定の値未満の状態であるが、ユーザによって心拍数の測定開始が指示された場合、制御回路２１１は心拍数の測定結果の送信間隔を１０秒間隔に設定する。
【００５５】
引き続き、制御回路２１１は、表示端末１から送られたユーザ情報、すなわちユーザの年齢、体重、性別、身長及び最大心拍数をＲＡＭ２１４に保存した後（ステップＳＢ９）、心拍測定部２２４による心拍数の測定、及び先に設定した送信モードに応じた通信間隔での表示端末１への測定データ（測定結果）の送信を開始する（ステップＳＢ１０）。なお、心拍数を測定している間、制御回路２１１は、直近における一定時間分の測定結果をＲＡＭ２１４に記憶する。
【００５６】
そして、心拍数の測定を開始した後、制御回路２１１は図７に示した処理を行う。まず、送信モードを通常モードに設定した場合（ステップＳＢ１１：ＹＥＳ）の処理について説明する。
【００５７】
送信モードを通常モードに設定しているとき、制御回路２１１は、表示端末１からの送信モードの変更依頼の有無を逐次確認し、送信モードの変更依頼がなければ（ステップＳＢ１２：ＮＯ）、電池残量測定部２１１ａによって電池２１２の残量を検出する（ステップＳＢ１３）。
【００５８】
制御回路２１１は、電池２１２の残量が所定の値以上であれば（ステップＳＢ１４：ＹＥＳ）、引き続き、５秒毎の送信タイミングが到来するまでの間（ステップＳＢ１５：ＮＯ）、前述したステップＳＢ１２〜ステップＳＢ１４の処理を繰り返す。
【００５９】
そして、制御回路２１１は、送信タイミングが到来する毎に（ステップＳＢ１５：ＹＥＳ）、心拍測定部２２４によって取得した心拍数の測定データを表示端末１へ送信する（ステップＳＢ１６）。これに伴い、表示端末１が現在の心拍数をＬＣＤ１１９に表示（又は更新）する（図５、ステップＳＡ１８）。
【００６０】
また、制御回路２１１は、ステップＳＢ１２〜ステップＳＢ１４の処理を繰り返す間に、電池２１２の残量が所定の値未満になったときには（ステップＳＢ１４：ＮＯ）、送信モードを通常モードから省電力モードへ変更する旨を表示端末１へ通知した後（ステップＳＢ１７）、送信モードを省電力モードに変更する（ステップＳＢ１８）。つまり測定データの送信間隔を５秒間隔から１０秒間隔に変更する。
【００６１】
さらに、制御回路２１１は、ステップＳＢ１２〜ステップＳＢ１４の処理を繰り返す間に、表示端末１から送信モードの変更依頼があったときには（ステップＳＢ１２：ＹＥＳ）、直ちに送信モードを省電力モードに変更する（ステップＳＢ１８）。
【００６２】
その後、制御回路２１１は、後述するステップＳＢ１９以降の処理を実行する。ステップＳＢ１９以降の処理は、測定開始直後にステップＳＢ７の処理で測定結果の送信モードを省電力モードに設定していた場合にあっては（ステップＳＢ１１：ＮＯ）、制御回路２１１が直ちに実行する処理でもある。
【００６３】
すなわち制御回路２１１は、まず、ＲＡＭ２１４に保存しているユーザの最大心拍数を参照し、現在のユーザの心拍が低負荷状態であるか否かを逐次確認する（ステップＳＢ１９）。係る処理において制御回路２１１は、現在のユーザの心拍数が規定数未満であれば心拍が低負荷状態であると判断する。なお、以下の説明では上記の規定数が［最大心拍数−１０］であるものとする。
【００６４】
制御回路２１１は、ユーザの心拍が低負荷状態である間には（ステップＳＢ１９：ＹＥＳ）、１０秒毎の送信タイミングが到来した時点で（ステップＳＢ２０：ＹＥＳ）、心拍数の変化量が、基準となる±２回以上か否かを確認する（ステップＳＢ２１）。
【００６５】
なお、ステップＳＢ２１の処理に際して制御回路２１１は、ＲＡＭ２１４に前回送信した測定データを記憶しておき、前回送信した測定結果と現在の測定結果とを比較することによって、変化量が±２回以上か否かを確認する。
【００６６】
そして、制御回路２１１は、心拍数の変化量が±２回以上であって変化量が大きければ（ステップＳＢ２１：ＹＥＳ）、表示端末１に測定データを送信する（ステップＳＢ２２）。これに伴い、表示端末１が現在の心拍数をＬＣＤ１１９に表示（又は更新）する（図５、ステップＳＡ２２）。
【００６７】
また、制御回路２１１は、心拍数の変化量が±２回未満であって変化量が小さければ（ステップＳＢ２１：ＮＯ）、測定データを送信することなくステップＳＢ１９の処理へ戻り、引き続きユーザの心拍が低負荷状態であるか否かを逐次確認する。
【００６８】
一方、制御回路２１１は、ユーザの心拍が低負荷状態でなく強負荷状態であった場合、すなわち現在のユーザの心拍数が［最大心拍数−１０回］以上であった場合（ステップＳＢ１９：ＮＯ）、ＲＡＭ２１４に記憶されている直近６０秒間の測定データを参照し、強負荷状態が６０秒以上継続しているか否かを更に確認する（ステップＳＢ２３）。
【００６９】
そして、強負荷状態が６０秒以上継続していなければ（ステップＳＢ２３：ＮＯ）、制御回路２１１は、心拍が低負荷状態である間と同様の前述した処理を行う。すなわち測定データの送信タイミングが到来する毎に（ステップＳＢ２０：ＹＥＳ）、心拍数の変化量が±２回以上であることを条件として（ステップＳＢ２１：ＹＥＳ）、表示端末１に測定データを送信する（ステップＳＢ２２）。
【００７０】
また、制御回路２１１は、心拍数の変化量が±２回未満であれば（ステップＳＢ２１：ＮＯ）、測定データを送信することなくステップＳＢ１９の処理へ戻り、引き続きユーザの心拍が低負荷状態であるか否かを確認する。
【００７１】
一方、制御回路２１１は、任意の時点でユーザの心拍が強負荷状態に変化した場合には（ステップＳＢ１９：ＮＯ）、さらに、その状態が６０秒以上継続しているか否かを確認する（ステップＳＢ２３）。
【００７２】
制御回路２１１は、強負荷状態が６０秒以上継続していなければ（ステップＳＢ２３：ＮＯ）、前述したステップＳＢ２０の処理へ移行する。一方、制御回路２１１は、心拍が６０秒以上継続して強負荷状態であった場合には（ステップＳＢ２３：ＹＥＳ）、送信タイミングを待つことなく、直ちに表示端末１に測定データを送信するとともに、心拍が長時間にわたり強負荷状態である旨をユーザに知らせるための注意喚起用の報知を依頼する（ステップＳＢ２４）。
【００７３】
これに伴い、表示端末１において、前述したようにユーザに対してピエゾ素子１２２によるアラーム音や、振動モータ１２３の振動による注意喚起用の報知が行われる（図５、ステップＳＡ２４）。以後、制御回路２１１はステップＳＢ１９〜ステップＳＢ２４の処理を繰り返し実行する。
【００７４】
なお、図７では省略したが、制御回路２１１は、上述したステップＳＢ１１以降の処理を行っている間、任意の時点で表示端末１から電源オフが指示されると、その時点で全ての処理を終了し、電源をオフ状態とする。
【００７５】
以上説明したように本実施形態の生体情報測定システムにおいては、心拍検出端末２に、心拍数の測定結果の送信モードとして、測定結果を５秒間隔で送信する通常モードと、測定結果を１０秒間隔で送信する省電力モードと、の２種類のモードが用意されている。
【００７６】
そして、心拍数の測定開始時において、表示端末１の電池１１２、又は心拍検出端末２の電池２１２の双方の残量が所定の値以上であれば、心拍検出端末２の送信モードが通常モードに設定され、かつ双方の電池１１２，２１２の少なくともいずれか一方の残量が所定の値未満であれば、心拍検出端末２の送信モードが省電力モードに設定される。
【００７７】
また、送信モードが通常モードに設定されている間には、双方の電池１１２，２１２の少なくともいずれか一方の残量が所定の値未満になれば、心拍検出端末２の送信モードが省電力モードに設定される。
【００７８】
そのため、表示端末１の電池１１２、又は心拍検出端末２の電池２１２の少なくとも一方側の残量が所定の値未満になったときには、確実に、かつ直ちに表示端末１と心拍検出端末２との間における一定時間内のデータの送受信量を削減することができる。したがって、生体情報測定システムの連続測定時間を長期化することができる。
【００７９】
しかも、本実施形態においては、表示端末１が、自己が有する電池１１２が所定の値未満になったか否かを逐次確認し、所定の値未満になった時点で、心拍検出端末２に送信モードを省電力モードとする旨を依頼する構成とした。
【００８０】
そのため、例えば表示端末１に電池１１２の残量を心拍検出端末２に一定の時間間隔（但し、例えば１分〜５分のように心拍数の測定結果の送信間隔よりも長い間隔）で送信させる一方、それが所定の値以上であるか否かを心拍検出端末２に確認させる場合に比べると、表示端末１と心拍検出端末２との間におけるデータの送受信量を必要かつ最小限とすることができる。したがって、より効率的に連続測定時間を長期化することができる。
【００８１】
また、本実施形態においては、心拍検出端末２の送信モードが省電力モードに設定された後には、心拍検出端末２が各回の送信タイミングで表示端末１に送信する測定結果（送信データ）を、前回の送信時からの変化量が所定の変化量以上となる変化があったものに制限するようにした。
【００８２】
したがって、心拍数の測定中にユーザにとって支障を来さない範囲で、表示端末１と心拍検出端末２との間におけるデータの送受信量をさらに削減することができる。したがって、より一層効率的に連続測定時間を長期化することができる。
【００８３】
また、本実施形態においては、心拍検出端末２の送信モードが省電力モードに設定されている間にあっては、ユーザの心拍が強負荷状態に変化し、その状態が６０秒以上継続している場合には、それをユーザに知らせるための注意喚起用の報知を心拍検出端末２が表示端末１へ依頼し、表示端末１においてユーザに知らせるようにした。つまり被測定者の状態が所定の状態であると判断できる測定結果が一定時間継続して得られた場合、その状態をユーザに知らせるようにした。したがって、心拍数の測定中における利便性を確保しつつ、連続測定時間の長期化を図ることができる。
【００８４】
なお、本実施形態では、便宜上、上記の注意喚起用の報知動作を心拍検出端末２の送信モードが省電力モードに設定されている間のみ行う場合について説明したが、当然、送信モードが通常モードに設定されている間についても、それを行うことが望ましい。
【００８５】
（実施形態２）
次に、本発明の第２の実施の形態について説明する。本実施形態は、第１の実施形態で示した構成からなる生体情報測定システムにおいて、心拍検出端末２の制御回路２１１が、心拍数の測定に際して図５に示した処理に続いて図８に示した以下の処理を実行するものである。
【００８６】
図８は、図７に対応する図であり、ステップＳＢ１１１〜ステップＳＢ１１８の処理、すなわち心拍数の測定開始当初に測定結果の送信モードを通常モードに設定した場合の処理については、図７のステップＳＢ１１〜ステップＳＢ１８の処理と同一である。
【００８７】
これに対し、本実施形態において制御回路２１１は、心拍数の測定開始当初に測定結果の送信モードを省電力モードに設定した場合、及び心拍数の測定中に、送信モードを省電力モードに変更した場合については以下の処理を実行する。
【００８８】
すなわち、制御回路２１１は、省電力モードによる測定を開始すると、まず、ＲＯＭ２１３に予め記憶されている複数種類の心拍数ゾーンテーブルの中から、ユーザの年齢、性別に対応するものを特定する（ステップＳＢ１１９）。心拍数ゾーンテーブルは、ユーザの心拍状態の判断基準として使用するものである。
【００８９】
図９は、心拍数ゾーンテーブルＴの一例を示す図であり、心拍数ゾーンテーブルＴは、複数段階の心拍数ゾーンと、各心拍数ゾーンに対応する心拍数と、から構成される。本実施形態において心拍数ゾーンは低、中、高、強負荷の４段階に区分されており、図９に例示したように各心拍数ゾーンに対応する心拍数は、例えば低心拍数ゾーンが１００以下、中心拍数ゾーンが１０１〜１４０、高心拍数ゾーンが１４１〜１８０、強負荷心拍数ゾーンが１８１以上である。
【００９０】
引き続き、制御回路２１１は、ステップＳＢ１１９の処理で特定した心拍数ゾーンテーブルＴを使用して以下の処理を繰り返す。
【００９１】
まず、制御回路２１１は、心拍数ゾーンテーブルＴにおいて、現在の心拍数に対応する心拍数ゾーンを確認し、対応する心拍数ゾーンが低、中、高のうちのいずれかであるか否かを確認する（ステップＳＢ１２０）。
【００９２】
そして、制御回路２１１は、現在の心拍数に対応する心拍数ゾーンが低、中、高のうちのいずれかである間には（ステップＳＢ１２０：ＹＥＳ）、１０秒毎の送信タイミングが到来した時点で（ステップＳＢ１２１：ＹＥＳ）、前回の送信タイミングから今回の送信タイミングまでの間に、心拍数に対応する心拍数ゾーンが変化したか否かを確認する（ステップＳＢ１２２）。
【００９３】
なお、ステップＳＢ１２２の処理に際して制御回路２１１は、ＲＡＭ２１４に前回送信した測定データを記憶しておき、前回送信した測定結果に該当する心拍数ゾーンと、現在の測定結果に該当する心拍数ゾーンと、を確認することにより、心拍数ゾーンの変化の有無を確認する。
【００９４】
そして、制御回路２１１は、心拍数に対応する心拍数ゾーンに変化があった場合には（ステップＳＢ１２２：ＹＥＳ）、さらに、心拍数に対応する心拍数ゾーンが一定時間以上同じであったか否かを確認する（ステップＳＢ１２３）。
【００９５】
なお、一定時間以上とは、測定データの送信間隔である１０秒よりも長い時間であり、例えば１分である。また、ステップＳＢ１２３の処理は、ステップＳＢ１２０の処理に際して確認した心拍数ゾーンを、ＲＡＭ２１４に、所定時間分記憶しておくことにより、該当する心拍数ゾーンが一定時間以上同じであったか否かを確認する。
【００９６】
そして、制御回路２１１は、心拍数に対応する心拍数ゾーンが一定時間以上同じであれば（ステップＳＢ１２３：ＹＥＳ）、表示端末１に測定データを送信する（ステップＳＢ１２４）。その際、制御回路２１１は、表示端末１に送信する測定データには、現在の心拍数に対応する心拍数ゾーンを示すデータを含める。
【００９７】
これに伴い、本実施形態においては、表示端末１が、図５のステップＳＡ２２の処理に際して現在の心拍数と、心拍数ゾーンと、をＬＣＤ１１９に表示（又は更新）する。
【００９８】
また、制御回路２１１は、心拍数に対応する心拍数ゾーンが一定時間以上同じでなければ（ステップＳＢ１２２：ＮＯ）、測定データを送信することなくステップＳＢ１２０の処理へ戻り、引き続き、現在の心拍数に対応する心拍数ゾーンが、低、中、高のいずれかであるか否かを確認する。
【００９９】
一方、制御回路２１１は、現在の心拍数に対応する心拍数ゾーンが低、中、高のうちのいずれでもない場合、すなわち現在の心拍数に対応する心拍数ゾーンが強負荷ゾーンであった場合、つまり心拍の状態が強負荷状態であった場合には（ステップＳＢ１２０：ＮＯ）、さらに、その状態が６０秒以上継続しているか否かを確認する（ステップＳＢ１２５）。
【０１００】
そして、制御回路２１１は、心拍数に対応する心拍数ゾーンが強負荷ゾーンであっても、その状態が６０秒以上継続していない場合には（ステップＳＢ１２５：ＮＯ）、前述したステップＳＢ１２１の処理へ移行する。
【０１０１】
一方、制御回路２１１は、心拍数に対応する心拍数ゾーンが６０秒以上継続して強負荷ゾーンであった場合には（ステップＳＢ１２５：ＹＥＳ）、送信タイミングを待つことなく、直ちに表示端末１に測定データを送信するとともに、心拍が長時間にわたり強負荷状態である旨をユーザに知らせるための注意喚起用の報知を依頼する（ステップＳＢ１２６）。
【０１０２】
これに伴い、表示端末１において、ユーザに対してピエゾ素子１２２によるアラーム音や、振動モータ１２３の振動による注意喚起用の報知が行われる（図５、ステップＳＡ２４）。以後、制御回路２１１はステップＳＢ１２０〜ステップＳＢ１２６の処理を繰り返し実行する。
【０１０３】
なお、図８では省略したが、制御回路２１１は、上述したステップＳＢ１１１以降の処理を行っている間、任意の時点で表示端末１から電源オフが指示されると、その時点で全ての処理を終了し、電源をオフ状態とする。
【０１０４】
以上説明したように本実施形態においては、心拍検出端末２の送信モードが省電力モードに設定された後には、第１の実施形態とは異なり、心拍検出端末２が各回の送信タイミングで表示端末１に送信する測定結果（送信データ）を、測定結果から判断される心拍の状態が、前回の送信時に判断された段階の状態とは異なる段階の状態となる変化があったものに制限するようにした。
【０１０５】
これにより本実施形態においても、心拍数の測定中にユーザにとって支障を来さない範囲で、表示端末１と心拍検出端末２との間におけるデータの送受信量をさらに削減することができる。したがって、より一層効率的に連続測定時間を長期化することができる。
【０１０６】
しかも、本実施形態においては、前回の送信時に判断された段階の状態とは異なる段階の状態となる変化があった測定結果が、一定時間継続して検出されたことを条件として、新たな測定結果を表示端末１へ送信するようにした。
【０１０７】
そのため、測定結果（心拍数）が、隣接する心拍数ゾーンの境目付近で頻繁に変動する場合であっても、表示端末１と心拍検出端末２との間におけるデータの送受信量を確実に削減することができる。これによっても、より一層効率的に連続測定時間を長期化することができる。
【０１０８】
また、本実施形態においても、第１の実施形態と同様、心拍検出端末２の送信モードが省電力モードに設定されている間にあっては、ユーザの心拍が強負荷状態に変化し、その状態が６０秒以上継続している場合には、その状態をユーザに知らせるようにした。したがって、心拍数の測定中における利便性を確保しつつ、連続測定時間の長期化を図ることができる。
【０１０９】
なお、これ以外の基本的な効果等については、第１の実施形態で説明したものと同様である。
【０１１０】
ここで、第１の実施形態、及び第２の実施形態においては、ユーザ（被測定者）の心拍数を測定し、それをユーザに知らせる生体情報測定システムについて説明した。しかし、これに限らず、本発明は、血圧等の心拍数以外の生体情報を検出、又は測定し、それをユーザに知らせる生体情報測定システムにも適用することができる。
【０１１１】
また、生体情報測定システムとして、被測定者とユーザが同一であるものについて説明したが、本発明は、被測定者とユーザとが異なる者である生体情報測定システムにも適用することができる。
【０１１２】
以上、本発明のいくつかの実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。
【０１１３】
以下に、本出願の当初の特許請求の範囲に記載された発明を付記する。
［請求項１］
被測定者の生体情報を検出して当該生体情報を一定の時間間隔で送信し、第１の電源電池と当該第１の電源電池の残量を検出する第１の検出手段とを有する、検出端末と、
前記検出端末から送信された前記生体情報を受信して受信した前記生体情報の通知をおこない、第２の電源電池と当該第２の電源電池の残量を検出する第２の検出手段とを有する、通知端末と、
を備え、
前記検出端末は、
前記第１の電源電池の残量及び前記第２の電源電池の残量が所定の値以上である場合に、前記生体情報の送信間隔を第１の送信間隔に設定し、前記第１の電源電池の残量と前記第２の電源電池の残量との少なくともいずれか一方が前記所定の値未満である場合に、前記生体情報の前記送信間隔を前記第１の送信間隔よりも長い第２の送信間隔に設定する、設定手段を有する、
ことを特徴とする生体情報測定システム。
［請求項２］
前記通知端末は、前記第２の電源電池の残量が前記所定の値未満である場合に、前記送信間隔の前記第２の送信間隔への設定を無線により前記検出端末に要求する設定要求手段を有し、
前記検出端末の前記設定手段は、前記設定要求手段から要求があった場合に、前記生体情報の前記送信間隔を前記第２の送信間隔に設定する、
ことを特徴とする請求項１に記載の生体情報測定システム。
［請求項３］
前記検出端末は、前記設定手段により前記生体情報の前記送信間隔が前記第２の送信間隔に設定された後、前記第２の送信間隔に応じた送信タイミングで前記通知端末へ無線送信する前記生体情報を、前回の送信時から所定の変化があった場合に制限する制限手段を備えた、
ことを特徴とする請求項１又は２に記載の生体情報測定システム。
［請求項４］
前記制限手段は、前記第２の送信間隔に応じた前記送信タイミングで前記通知端末へ無線送信する前記生体情報を、前回の送信時からの変化量が所定の変化量以上となる変化があった場合に制限する、
ことを特徴とする請求項３に記載の生体情報測定システム。
［請求項５］
前記制限手段は、前記第２の送信間隔に応じた前記送信タイミングで前記通知端末へ無線送信する前記生体情報を、前記生体情報から判断される被測定者の段階的状態が、前回の送信時に判断された段階的状態とは異なる場合に制限する、
ことを特徴とする請求項３に記載の生体情報測定システム。
［請求項６］
前記検出端末は、前記被測定者の段階的状態が同一の段階的状態であると判断できる生体情報が一定時間継続して検出された場合、生体情報を前記第２の送信間隔に応じた前記送信タイミングで前記通知端末へ無線送信させる送信制御手段を有する、
ことを特徴とする請求項５に記載の生体情報測定システム。
［請求項７］
前記検出端末は、前記設定手段により前記生体情報の前記送信間隔が前記第２の送信間隔に設定された後、前記被測定者の状態が所定の状態であると判断できる生体情報を一定時間継続して検出した場合、注意喚起用の通知を無線により前記通知端末へ要求する通知要求手段を有し、
前記通知端末は、前記通知要求手段による要求に応じた前記注意喚起用の通知を行う通知手段を備えた、
ことを特徴とする請求項１乃至５いずれかに記載の生体情報測定システム。
［請求項８］
被測定者の生体情報を検出し、検出した当該生体情報を一定の時間間隔で送信する検出端末と、
前記検出端末により送信された前記生体情報を受信し、受信した前記生体情報の通知を行う通知端末と、
を備え、
前記検出端末が有する第１の電源電池の残量を検出する工程と、
前記通知端末が有する第２の電源電池の残量を検出する工程と、
前記第１の電源電池の残量及び前記第２の電源電池の残量が所定の値以上である場合に、前記生体情報の送信間隔を第１の送信間隔に設定する工程と、
前記第１の電源電池の残量と前記第２の電源電池の残量との少なくともいずれか一方が前記所定の値未満である場合に、前記生体情報の前記送信間隔を前記第１の送信間隔よりも長い第２の送信間隔に設定する工程と、
を含む、
ことを特徴とする生体情報送信方法。
【符号の説明】
【０１１４】
１    表示端末
１１１    制御回路
１１１ａ    電池残量測定部
１１２    電池
１１３    ＲＯＭ
１１６    無線モジュール
１２２    ピエゾ素子
１２３    振動モータ
２    心拍検出端末
２１１    制御回路
２１１ａ    電池残量測定部
２１２    電池
２１３    ＲＯＭ
２１６    無線モジュール
２２４    心拍測定部
Ｔ    心拍数ゾーンテーブル
【図１】
2014057691.tif 000003
【図２】
2014057691.tif 000004
【図３】
2014057691.tif 000005
【図４】
2014057691.tif 000006
【図５】
2014057691.tif 000007
【図６】
2014057691.tif 000008
【図７】
2014057691.tif 000009
【図８】
2014057691.tif 000010
【図９】
2014057691.tif 000011